(57)【要約】【課題】１本の直管形蛍光ランプを内部に収納した状態でそのまま輸送しても衝撃に耐え得る直管形蛍光ランプの紙製包装容器を提供する。【解決手段】紙製包装容器１は、１本の直管形蛍光ランプ５０を内部に収納する角筒状の個装サック１０と、１つの個装サック１０を内部に収納する角筒状の胴部２１を有する外装箱２０と、を備えている。直管形蛍光ランプ５０の包装時に、直管形蛍光ランプ５０のピン５３に対応する位置に貫通孔３５が形成された端板３１を有する係止部３０が、胴部２１の開口端２１ａ内に挿入されて、端板３１が直管形蛍光ランプ５０の口金５２の端面に対向して配置される。また、外装箱２０には、直管形蛍光ランプ５０の包装時に胴部２１の長手方向において係止部３０の外側への移動を規制する蓋部４０が設けられている。【選択図】図１
2016137908.tif 000002
【特許請求の範囲】
【請求項１】
１本の直管形蛍光ランプを内部に収納する筒状の個装サックと、
１つの前記個装サックを内部に収納する角筒状の胴部を有する外装箱と、を備え、
前記胴部の開口端内には、前記直管形蛍光ランプの包装時に前記直管形蛍光ランプのピンに対応する位置に貫通孔が形成された端板を有する係止部が挿入されて、前記端板が前記直管形蛍光ランプの口金の端面に対向して配置され、
前記外装箱には、前記直管形蛍光ランプの包装時に前記胴部の長手方向において前記係止部の外側への移動を規制する規制部が設けられていることを特徴とする直管形蛍光ランプの紙製包装容器。
【請求項２】
前記規制部は、前記胴部の開口端を閉鎖する蓋部であることを特徴とする請求項１に記載の直管形蛍光ランプの紙製包装容器。
【請求項３】
前記係止部は、前記胴部の長手方向端縁に連設されていることを特徴とする請求項１または請求項２に記載の直管形蛍光ランプの紙製包装容器。
【請求項４】
前記係止部は、前記胴部の長手方向端縁と前記端板との間に形成される第１支持板と、前記端板の前記第１支持板と反対側に形成される第２支持板と、を有し、
前記直管形蛍光ランプの包装時に、前記第１支持板は前記胴部の内部において前記直管形蛍光ランプ側に折り曲げられ、前記第２支持板は前記胴部の内部において前記直管形蛍光ランプと反対側に折り曲げられることを特徴とする請求項３に記載の直管形蛍光ランプの紙製包装容器。
【請求項５】
前記第２支持板には、前記係止部を前記胴部の開口端から引き出す際にユーザが操作する引出し操作部が形成されていることを特徴とする請求項４に記載の直管形蛍光ランプの紙製包装容器。
【請求項６】
前記係止部は、前記端板の一対の側端縁の少なくとも一方に連設される第３支持板を有しており、
前記第３支持板は、前記直管形蛍光ランプの包装時に前記胴部の内部において前記直管形蛍光ランプと反対側に折り曲げられることを特徴とする請求項４に記載の直管形蛍光ランプの紙製包装容器。
【発明の詳細な説明】
【技術分野】
【０００１】
本発明は、直管形蛍光ランプの紙製包装容器に関し、特に、１本の直管形蛍光ランプを包装する紙製包装容器に関する。
【背景技術】
【０００２】
１本の直管形蛍光ランプが挿入されて収納される断面四角形の筒状のケース本体を有する包装ケース（紙製包装容器）が提案されている（特許文献１，２参照）。これらの包装ケースは、直管形蛍光ランプがその長手方向に移動して外へ飛び出すことを防止する係止片が設けられるとともに、フックに引っ掛けて陳列できるように一端に吊下げ用孔を備えている。
【０００３】
また、直管形蛍光ランプが複数本挿入されて収納される断面四角形の筒状体を有する包装体（紙製包装容器）が提案されている（特許文献３参照）。この包装体は、直管形蛍光ランプがその長手方向に移動して飛び出すことを防止する係止片が設けられているとともに、筒状体の両端部に挿入され直管形蛍光ランプのピンを保護し得る孔を有する蓋体を備えている。
【先行技術文献】
【特許文献】
【０００４】
【特許文献１】特開２００１−１８９４５号公報
【特許文献２】特開平１１−３４９０５３号公報
【特許文献３】実開昭６１−７３５７９号公報
【発明の概要】
【発明が解決しようとする課題】
【０００５】
しかしながら、特許文献１，２に記載の包装ケースは、店内での陳列を目的としたものであり、直管形蛍光ランプを内部に収納してそのまま輸送できるものではない。したがって、輸送時には、直管形蛍光ランプを収納した包装ケースは、衝撃に耐え得るように、充分に厚い段ボール素材を用いた段ボール箱の中に入れる必要がある。
【０００６】
また、特許文献３に記載の包装体も、筒状体内に収納した直管形蛍光ランプが筒状体の側面に形成された孔を通して外から見える構成となっていることから陳列を目的としたものであり、直管形蛍光ランプを内部に収納してそのまま輸送できるものではない。仮に直管形蛍光ランプを収納した包装体をそのまま輸送した場合には、包装体の長手方向に衝撃が加わると、直管形蛍光ランプが包装体の内部で長手方向に容易に移動して蓋体に衝突する。このため、蓋体が降伏（変形）してしまい、結果的に、直管形蛍光ランプの端部に設けられたピンや口金が破損するおそれがある。
【０００７】
本発明は、このような事情に鑑みてなされたものであり、１本の直管形蛍光ランプを内部に収納した状態でそのまま輸送しても衝撃に耐え得る直管形蛍光ランプの紙製包装容器を提供することを課題とする。
【課題を解決するための手段】
【０００８】
前記した目的を達成するために、本発明に係る直管形蛍光ランプの紙製包装容器は、１本の直管形蛍光ランプを内部に収納する筒状の個装サックと、１つの前記個装サックを内部に収納する角筒状の胴部を有する外装箱と、を備え、前記胴部の開口端内には、前記直管形蛍光ランプの包装時に前記直管形蛍光ランプのピンに対応する位置に貫通孔が形成された端板を有する係止部が挿入されて、前記端板が前記直管形蛍光ランプの口金の端面に対向して配置され、前記外装箱には、前記直管形蛍光ランプの包装時に前記胴部の長手方向において前記係止部の外側への移動を規制する規制部が設けられていることを特徴とする。
【発明の効果】
【０００９】
本発明によれば、１本の直管形蛍光ランプを内部に収納した状態でそのまま輸送しても衝撃に耐え得る直管形蛍光ランプの紙製包装容器を提供することができる。
【図面の簡単な説明】
【００１０】
【図１】本発明の一実施形態に係る直管形蛍光ランプの紙製包装容器の端部付近を直管形蛍光ランプとともに示す概略斜視図である。
【図２】直管形蛍光ランプを包装した状態における紙製包装容器の端部付近の概略断面図である。
【図３】個装サックの端部付近を示す概略斜視図である。
【図４】外装箱の展開図である。
【図５】外装箱の端部付近を示す概略斜視図である。
【図６】胴部の外に係止部および蓋部を位置させて平面状に押しつぶした状態の外装箱の端部付近を示す平面図である。
【図７】紙製包装容器を用いて直管形蛍光ランプを包装する方法について説明するための図である。
【図８】図７から続く、直管形蛍光ランプの包装方法についての説明図である。
【図９】図８から続く、直管形蛍光ランプの包装方法についての説明図である。
【図１０】図９から続く、直管形蛍光ランプの包装方法についての説明図である。
【図１１】引出し操作部の変形例を説明するための図である。
【図１２】４本梱包品を説明するための図である。
【図１３】試験結果を示す図表である。
【発明を実施するための形態】
【００１１】
次に、本発明の実施形態について適宜図面を参照しながら詳細に説明する。
なお、以下に示す図面において、同一の部材には同一の参照符号を付し、重複した説明を適宜省略する。また、部材のサイズおよび形状は、説明の便宜のため、変形または誇張して模式的に表す場合がある。
【００１２】
図１は、本発明の一実施形態に係る直管形蛍光ランプの紙製包装容器１（以下、単に「紙製包装容器」ともいう。）の端部付近を直管形蛍光ランプ５０とともに示す概略斜視図である。図２は、直管形蛍光ランプ５０を包装した状態における紙製包装容器１の端部付近の概略断面図である。
【００１３】
図１〜図２に示すように、紙製包装容器１は、１本の直管形蛍光ランプ５０を包装するものである。この紙製包装容器１は、１本の直管形蛍光ランプ５０を内部に収納する角筒状の個装サック１０と、１つの個装サック１０を内部に収納する角筒状の胴部２１を有する外装箱２０と、を備えている。ただし、個装サック１０は、角筒状に限定されるものではなく、円筒状であってもよい。
【００１４】
直管形蛍光ランプ５０は、ガラス製の管体５１と、管体５１の端部に設けられる口金５２と、口金５２から直管形蛍光ランプ５０の長手方向外側に突出する電極端子としてのピン５３とを有している。
【００１５】
外装箱２０の胴部２１は、４つの矩形状の側板２２（第１側板２２ａ、第２側板２２ｂ、第３側板２２ｃ、および第４側板２２ｄの総称として使用する。）を備えており、断面四角形の筒状を呈している。第１側板２２ａ、第２側板２２ｂ、第３側板２２ｃ、および第４側板２２ｄは、この順に胴部２１の長手方向と垂直な方向に連設されている（図４参照）。第１側板２２ａと第３側板２２ｃとは、互いに対向して平行に配置される。また、第２側板２２ｂと第４側板２２ｄとは、第１側板２２ａと第３側板２２ｃとの間において、互いに対向して平行に配置される。
【００１６】
胴部２１の開口端２１ａ（図１参照）内には、直管形蛍光ランプ５０の包装時に四角形状の端板３１を有する係止部３０が挿入される。このとき、端板３１が直管形蛍光ランプ５０の口金５２の端面に対向して配置される。
【００１７】
端板３１には、直管形蛍光ランプ５０のピン５３に対応する位置に貫通孔３５が形成されている。貫通孔３５は、端板３１の中央に形成されており、並設される一対のピン５３の軸間距離とピン５３の直径との和よりも大きい直径を有している（図２参照）。したがって、仮に直管形蛍光ランプ５０が紙製包装容器１の内部で長手方向に移動した場合には、ピン５３は貫通孔３５内を挿通し、口金５２の端面が端板３１の内側の表面に当接するようになっている。
【００１８】
外装箱２０には、直管形蛍光ランプ５０の包装時に胴部２１の長手方向において係止部３０の外側への移動を規制する規制部としての蓋部４０が設けられている。蓋部４０は、胴部２１の開口端２１ａ（図１参照）を閉鎖するものである。ただし、前記規制部は、係止部３０の外側への移動を規制する機能を有していればよく、蓋部４０に限定されるものではない。
【００１９】
本実施形態では、蓋部４０は、胴部２１の長手方向端縁に連設されている。すなわち、蓋部４０は、胴部２１と一体に構成されている。蓋部４０は、胴部２１の第３側板２２ｃの長手方向端縁に連設され胴部２１の開口端２１ａ（図１参照）を覆う蓋板４１と、蓋板４１の先端側に連設される舌片状の蓋フラップ４２と、胴部２１の第２側板２２ｂおよび第４側板２２ｄの長手方向端縁にそれぞれ連設される舌片状の横フラップ４３と、を有している。
【００２０】
外装箱２０の材料は、紙製の段ボールである。ここでは、段ボールのうち、Ｅフルート等のマイクロフルートが使用されている。
【００２１】
図３は、個装サック１０の端部付近を示す概略斜視図である。
図３に示すように、個装サック１０は、４つの矩形状の側板１１を備えており、断面四角形の筒状を呈している。個装サック１０の材料は、紙製の段ボールである。ここでは、段ボールのうち、表紙の内面に波状に加工した紙を接着して形成された片面段ボールが使用されている。個装サック１０の内面は、直管形蛍光ランプ５０の包装時には、直管形蛍光ランプ５０の管体５１の外周面と密着するように構成されている（図２参照）。
【００２２】
図４は、外装箱２０の展開図である。図５は、外装箱２０の端部付近を示す概略斜視図である。
図４に示すように、第１側板２２ａの側端縁には、接合部２３が連設されている。
図４〜図５に示すように、胴部２１は、４つの矩形状の側板２２が互いに隣接する境界線で折り曲げられて角筒状を呈し、接合部２３が第４側板２２ｄの内面に接合されることによって形成されている。ただし、図５では説明の便宜上、接合部２３の図示を省略している（図１でも同様）。
【００２３】
係止部３０は、胴部２１の第１側板２２ａの長手方向端縁に連設されている。すなわち、係止部３０は、胴部２１と一体に構成されている。係止部３０は、胴部２１の第１側板２２ａの長手方向端縁と端板３１との間に形成される第１支持板３２と、端板３１の第１支持板３２と反対側に形成される第２支持板３３と、を有している。そして、直管形蛍光ランプ５０の包装時に、第１支持板３２は、胴部２１の内部において直管形蛍光ランプ５０側に折り曲げられ、第２支持板３３は、胴部２１の内部において直管形蛍光ランプ５０と反対側に折り曲げられるようになっている（図２参照）。
【００２４】
第２支持板３３には、係止部３０を胴部２１の開口端２１ａから引き出す際にユーザが操作する引出し操作部３６が形成されている。引出し操作部３６は、本実施形態では、第２支持板３３に形成された矩形状の貫通孔である。
【００２５】
また、係止部３０は、端板３１の側端縁に連設される第３支持板３４を有している。ここで、端板３１の側端縁とは、端板３１における係止部３０の胴部２１への連設方向に平行な端縁である。第３支持板３４は、直管形蛍光ランプ５０の包装時に胴部２１の内部において直管形蛍光ランプ５０と反対側に折り曲げられるようになっている（図２参照）。ただし、第３支持板３４は、端板３１の一対の側端縁の少なくとも一方に連設されていればよい。つまり、第３支持板３４は、端板３１の一対の側端縁のいずれに連設されていてもよく、あるいは両方にそれぞれ連設されていてもよい。
【００２６】
図６は、胴部２１の外に係止部３０および蓋部４０を位置させて平面状に押しつぶした状態の外装箱２０の端部付近を示す平面図である。
図６に示す例では、第３支持板３４が、端板３１の一対の側端縁の一方のみに連設されているため、外装箱２０を平面状に押しつぶした状態で、第３支持板３４が側板２２の側方から外側に出っ張ることはない。したがって、外装箱２０を平面状に押しつぶした状態で工場等に輸送（供給）する場合に、コンパクトな形態とすることができ、輸送時の占有スペースを小さくできる。また、第３支持板３４が外側に出っ張っているために何かに引っ掛かって破損する事態を防止できる。
【００２７】
次に、図７〜図１０を参照して、前記のように構成された紙製包装容器１を用いて直管形蛍光ランプ５０を包装する方法について説明する。
図７に示すように、まず、１本の直管形蛍光ランプ５０を個装サック１０の内部に挿入して収納する。このとき、個装サック１０の内面と直管形蛍光ランプ５０の外周面とが密着する（図２参照）。そして、係止部３０および蓋部４０を胴部２１の開口端２１ａから外に開いた状態で、直管形蛍光ランプ５０を収納した個装サック１０を、外装箱２０の胴部２１の開口端２１ａから内部に挿入して収納する。
【００２８】
続いて、図８〜図１０に順を追って示すように、端板３１を有する係止部３０が、胴部２１の開口端２１ａ内に挿入される（図８、図９参照）。係止部３０が胴部２１の開口端２１ａ内に完全に挿入された状態（図１０参照）において、端板３１は直管形蛍光ランプ５０の口金５２（図２参照）の端面に対向して配置される。また、第１支持板３２は、胴部２１の内部において直管形蛍光ランプ５０側に折り曲げられて、第１側板２２ａの内面に面接触する。また、第２支持板３３は、胴部２１の内部において直管形蛍光ランプ５０と反対側に折り曲げられて、第３側板２２ｃの内面に面接触する。さらに、第３支持板３４は、胴部２１の内部において直管形蛍光ランプ５０と反対側に折り曲げられて、第４側板２２ｄの内面に面接触する。
【００２９】
そして、横フラップ４３が胴部２１の開口端２１ａを閉じる方向（図１０中のＡ方向）に折り曲げられる。続いて、蓋板４１が胴部２１の開口端２１ａを閉じる方向（図１０中のＢ方向）に折り曲げられ、蓋フラップ４２が第１支持板３２、ひいては第１側板２２ａの内側に入り込んで保持される（図２参照）。これにより、胴部２１の開口端２１ａが蓋部４０によって閉じられる。
【００３０】
前記したように本実施形態に係る紙製包装容器１は、１本の直管形蛍光ランプ５０を内部に収納する角筒状の個装サック１０と、１つの個装サック１０を内部に収納する角筒状の胴部２１を有する外装箱２０と、を備えている。胴部２１の開口端２１ａ内には、直管形蛍光ランプ５０の包装時に直管形蛍光ランプ５０のピン５３に対応する位置に貫通孔３５が形成された端板３１を有する係止部３０が挿入されて、端板３１が直管形蛍光ランプ５０の口金５２の端面に対向して配置される。また、外装箱２０には、直管形蛍光ランプ５０の包装時に胴部２１の長手方向において係止部３０の外側への移動を規制する蓋部４０が設けられている。
【００３１】
このような本実施形態では、１本の直管形蛍光ランプ５０を包装した紙製包装容器１が外部から長手方向（縦方向）の衝撃（加速度）を受けた場合、個装サック１０の内面と直管形蛍光ランプ５０の外面との間で生じる摩擦力によって直管形蛍光ランプ５０の長手方向の移動を抑制することができ、衝撃が緩和される。そして、比較的大きな衝撃を受けた場合でも、衝撃が緩和されながら直管形蛍光ランプ５０が長手方向に移動するため、蓋部４０によって外側への移動が規制された係止部３０の端板３１が、その表面で直管形蛍光ランプ５０の口金５２の端面を受けて止めることができる。
また、１本の直管形蛍光ランプ５０を包装した紙製包装容器１が外部から長手方向に垂直な短手方向（横方向）の衝撃（加速度）を受けた場合、直管形蛍光ランプ５０は、個装サック１０と外装箱２０との二重の包装によって保護される。
したがって本実施形態によれば、１本の直管形蛍光ランプ５０を内部に収納した状態でそのまま輸送しても衝撃に耐え得る直管形蛍光ランプの紙製包装容器１を提供することができる。
【００３２】
また、本実施形態では、直管形蛍光ランプ５０の包装時に胴部２１の長手方向において係止部３０の外側への移動を規制する規制部は、胴部２１の開口端２１ａを閉鎖する蓋部４０である。このため、万が一、紙製包装容器１の内部で直管形蛍光ランプ５０が破損した場合であっても、ガラス片等の破片は蓋部４０によって遮蔽されるため紙製包装容器１の外部に飛散することはない。
【００３３】
また、本実施形態では、蓋部４０は胴部２１の長手方向端縁に連設されているため、製造しやすく、部品点数の増加も防止できる。ただし、蓋部４０は、胴部２１と別体に構成されることも可能である。
【００３４】
また、本実施形態では、係止部３０は胴部２１の長手方向端縁に連設されているため、製造しやすく、部品点数の増加も防止できる。ただし、係止部３０は、胴部２１と別体に構成されることも可能である。
【００３５】
また、本実施形態では、係止部３０は、胴部２１の長手方向端縁と端板３１との間（端板３１の基端側）に形成される第１支持板３２と、端板３１の第１支持板３２と反対側（端板３１の先端側）に形成される第２支持板３３とを有している。また、直管形蛍光ランプ５０の包装時に、第１支持板３２は直管形蛍光ランプ５０側に折り曲げられ、第２支持板３３は直管形蛍光ランプ５０と反対側に折り曲げられる。このため、係止部３０の端板３１は、第１支持板３２と第２支持板３３とを介して、胴部２１の長手方向において蓋部４０に支持され、蓋部４０の端面から間隔を空けて配置される。したがって、係止部３０の端板３１を胴部２１の長手方向において強固に支持できるとともに、蓋部４０と端板３１との間に形成される空間による緩衝機能をも発揮させることができる。
【００３６】
また、本実施形態では、第２支持板３３に引出し操作部３６が形成されている。このため、ユーザは、引出し操作部３６に指を引っ掛けて操作することによって、係止部３０を胴部２１の開口端２１ａから容易に引き出すことができる。したがって、ユーザは、紙製包装容器１から直管形蛍光ランプ５０を取り出しやすくなる。
【００３７】
また、本実施形態では、係止部３０は、端板３１の一対の側端縁の少なくとも一方に連設される第３支持板３４を有している。また、第３支持板３４は、直管形蛍光ランプ５０の包装時に直管形蛍光ランプ５０と反対側に折り曲げられる。このため、係止部３０の端板３１は、第１支持板３２と第２支持板３３と第３支持板３４とを介して、胴部２１の長手方向において蓋部４０に支持される。したがって、係止部３０の端板３１を胴部２１の長手方向においてより強固に支持できる。つまり、第３支持板３４は、端板３１に直管形蛍光ランプ５０が衝突したとしても端板３１が降伏しづらくなるように影響する。
【００３８】
以上、本発明について実施形態に基づいて説明したが、本発明は前記した実施形態に限定されるものではなく、様々な変形例が含まれる。例えば、前記した実施形態は本発明を分かりやすく説明するために詳細に説明したものであり、必ずしも説明した全ての構成を備えるものに限定されるものではない。また、実施形態の構成の一部について、他の構成の追加・削除・置換をすることが可能である。
【００３９】
例えば、前記した実施形態では、係止部３０を胴部２１の開口端２１ａから引き出す際にユーザが操作する引出し操作部３６は、第２支持板３３に形成された矩形状の貫通孔であるが、これに限定されるものではない。例えば図１１に示すように、引出し操作部３６ａは、第２支持板３３にＵ字状のスリットを形成し、このスリットで区画された内側領域を曲げ起こした舌片状部であってもよい。この場合、ユーザは、引出し操作部３６ａを指でつまんで操作することによって、係止部３０を胴部２１の開口端２１ａから容易に引き出すことができる。
【００４０】
［試験例］
次に、本発明の効果について以下の試験例を用いて説明する。但し、本発明の技術的範囲が以下の試験例によって限定されるものではない。
【００４１】
（試験方法）
（１）前提条件
日本電球工業会規格（ＪＥＬ規格）の光源製品の安全性確認試験通側（ＪＥＬ  ６０１−２０１２）における包装落下試験に準じた試験を行った。
（２）ランプ型式
以下のＡ、Ｂの２種類を使用した。
Ａ：ＦＬＲ４０形（管長：１１９８ｍｍ、管径：３２．５ｍｍ）
Ｂ：ＦＨＦ３２形（管長：１１９８ｍｍ、管径：２５．５ｍｍ）
（３）梱包方式
以下の１本梱包品、４本梱包品の２種類について試験した。
１本梱包品：本発明に係る紙製包装容器を使用した。
４本梱包品：図１２に示すように、直管形蛍光ランプ５０を個装サック１０に収納したものを、４本梱包用段ボール箱１００に入れて梱包したもの（量産品）である。この４本梱包用段ボール箱１００は、上部開口が蓋１０２によって開閉される矩形状の箱体１０１を備えており、箱体１０１内の長手方向端部には、段ボールを５枚重ねして形成した保護部１０３が設けられている。
４本梱包品は、そのまま輸送されることが期待される集合梱包品のうち、現状で最小単位である形態の一例である。この４本梱包品は、量産品として実績のあるものであり、１本梱包品と比較するために試験を行った。
（４）落下方向
以下の横方向、縦方向の２種類について試験した。
横方向：梱包品における長手方向に垂直な側面を下方に向けて落下させた。
縦方向：梱包品における長手方向の端面を下方に向けて落下させた。
（５）落下高さ
５０ｃｍから１０ｃｍずつ増加させて破損に至るまで試験した。
なお、ＪＥＬ  ６０１−２０１２では、４０ｃｍの高さからの落下とされている。
【００４２】
（試験結果）
図１３は、試験結果を示す図表である。図１３において、横方向の落下試験における破損は全てガラス製の管体５１の割れであった。また、縦方向の落下試験における破損は全て口金５２の変形であった。
図１３に示すように、いずれの試験においても、４０ｃｍの高さからの落下（ＪＥＬ  ６０１−２０１２）では破損無しであった。また、本発明に係る紙製包装容器を使用した１本梱包品は、量産品として実績のある４本梱包品と比較して、同等以上の耐落下性能を有していることがわかった。
【符号の説明】
【００４３】
１      紙製包装容器
１０    個装サック
２０    外装箱
２１    胴部
２１ａ  開口端
２２    側板
３０    係止部
３１    端板
３２    第１支持板
３３    第２支持板
３４    第３支持板
３５    貫通孔
３６，３６ａ  引出し操作部
４０    蓋部
５０    直管形蛍光ランプ
５１    管体
５２    口金
５３    ピン
【図１】
2016137908.tif 000003
【図２】
2016137908.tif 000004
【図３】
2016137908.tif 000005
【図４】
2016137908.tif 000006
【図５】
2016137908.tif 000007
【図６】
2016137908.tif 000008
【図７】
2016137908.tif 000009
【図８】
2016137908.tif 000010
【図９】
2016137908.tif 000011
【図１０】
2016137908.tif 000012
【図１１】
2016137908.tif 000013
【図１２】
2016137908.tif 000014
【図１３】
2016137908.tif 000015